(57)【要約】【課題】ユーザに適合したチェックリストを効率良く提供することを課題とする。【解決手段】携帯端末１００の表示部１０３に対し、外出時に持参するべき持ち物や、外出前に行なうべき行動をチェック項目として有するチェックリスト１０３ａを表示しておき、気象データサーバ２５０等の外部サーバから外部情報を取得した場合に、この外部情報に応答してチェック項目を追加又は削除した修正後のチェックリスト１０３ｂを表示部１０３に表示する。【選択図】図１
2014092819.tif 000002
【特許請求の範囲】
【請求項１】
複数のチェック項目を有するチェックリストを所定の表示部に表示制御する携帯端末装置であって、
所定の情報サーバから外部情報を取得する外部情報取得手段と、
前記チェックリストに含まれるチェック項目の削除又は該チェックリストへの新たなチェック項目の追加に係る前記外部情報の適用条件を記憶する適用条件記憶手段と、
前記外部情報取得手段により外部情報を取得した場合に、前記適用条件記憶手段に記憶した適用条件に基づいて前記チェックリストを修正するチェックリスト修正手段と
を備えたことを特徴とする携帯端末装置。
【請求項２】
前記チェックリストに含まれる各チェック項目のうち利用者によりチェックされない未チェックのチェック項目を管理するチェック項目管理手段と、
所定のタイミングにおいて前記チェック項目管理手段により未チェックのチェック項目が存在する場合に、未チェックのチェック項目が存在する旨を報知する報知手段と
をさらに備えたことを特徴とする請求項１に記載の携帯端末装置。
【請求項３】
前記報知手段は、利用者が所在場所から外出する時刻を検知し、検知された時刻において前記チェック項目管理手段により未チェックのチェック項目が存在する場合に、未チェックのチェック項目が存在する旨を報知することを特徴とする請求項２に記載の携帯端末装置。
【請求項４】
前記報知手段は、利用者が所在場所から外出する際の外出準備行動を検知し、該外出準備行動が検知された際に前記チェック項目管理手段により未チェックのチェック項目が存在する場合に、未チェックのチェック項目が存在する旨を報知することを特徴とする請求項２に記載の携帯端末装置。
【請求項５】
各チェック項目の過去のチェック漏れ履歴を記憶する履歴記憶手段と、
前記履歴記憶手段に記憶された過去のチェック漏れ履歴に基づいて、前記チェックリスト内の各チェック項目の順序を変更する順序変更手段と
をさらに備えたことを特徴とする請求項１〜４のいずれか一つに記載の携帯端末装置。
【請求項６】
前記チェックリスト修正手段は、所定の期間が経過する度に、前記外部情報取得手段から外部情報を取得し、取得した外部情報及び前記適用条件記憶手段に記憶した適用条件に基づいて前記チェックリストを修正することを特徴とする請求項１〜５のいずれか一つに記載の携帯端末装置。
【請求項７】
警備システムから警備情報を取得する警備情報取得手段をさらに備え、
前記適用条件記憶手段は、
前記チェックリストに含まれるチェック項目の削除又は該チェックリストへの新たなチェック項目の追加に係る前記外部情報の適用条件及び前記警備情報の適用条件を記憶し、
前記チェックリスト修正手段は、
前記外部情報取得手段により外部情報を取得した場合又は前記警備システムから警備情報を取得した場合に、前記適用条件記憶手段に記憶した適用条件に基づいて前記チェックリストを修正する
ことを特徴とする請求項１に記載の携帯端末装置。
【請求項８】
複数のチェック項目を有するチェックリストを所定の表示部に表示制御する携帯端末装置と、該携帯端末装置と無線通信可能な情報サーバとを有する忘れ物確認システムであって、
前記情報サーバは、
前記携帯端末装置から情報要求を受け付けた場合に、自装置が管理する最新の情報を外部情報として前記携帯端末装置に送信し、
前記携帯端末装置は、
所定のタイミングで前記情報サーバに対して情報要求を行う情報要求手段と、
前記情報サーバから通知される外部情報を受信する外部情報受信手段と、
前記チェックリストに含まれるチェック項目の削除又は該チェックリストへの新たなチェック項目の追加に係る前記外部情報の適用条件を記憶する適用条件記憶手段と、
前記外部情報受信手段により外部情報を受信した場合に、前記適用条件記憶手段に記憶した適用条件に基づいて前記チェックリストを修正するチェックリスト修正手段と
を備えたことを特徴とする忘れ物確認システム。
【請求項９】
複数のチェック項目を有するチェックリストを所定の表示部に表示制御する携帯端末装置と、該携帯端末装置と無線通信可能な情報サーバとを有する忘れ物防止システムにおける忘れ物確認方法であって、
前記携帯端末装置が、所定のタイミングで前記情報サーバに対して情報要求を行う情報要求工程と、
前記情報サーバが、前記携帯端末装置から情報要求を受け付けた場合に、自装置が管理する最新の情報を外部情報として前記携帯端末装置に送信する外部情報送信工程と、
前記携帯端末装置が、前記情報サーバから通知される外部情報を受信する外部情報受信工程と、
前記携帯端末装置が、前記外部情報受信工程により外部情報を受信した場合に、前記チェックリストに含まれるチェック項目の削除又は該チェックリストへの新たなチェック項目の追加に係る前記外部情報の適用条件に基づいて前記チェックリストを修正するチェックリスト修正工程と
を含んだことを特徴とする忘れ物確認方法。
【請求項１０】
複数のチェック項目を有するチェックリストを所定の表示部に表示制御する携帯端末装置で実行される忘れ物確認プログラムであって、
前記チェックリストに含まれるチェック項目の削除又は該チェックリストへの新たなチェック項目の追加に係る外部情報の適用条件を記憶部に格納する適用条件格納手順と、
所定の情報サーバから外部情報を取得する外部情報取得手順と、
前記外部情報取得手順により外部情報を取得した場合に、前記記憶部に記憶した適用条件に基づいて前記チェックリストを修正するチェックリスト修正手順と
をコンピュータに実行させることを特徴とする忘れ物確認プログラム。
【請求項１１】
前記チェックリストに含まれる各チェック項目のうち利用者によりチェックされない未チェックのチェック項目を管理するチェック項目管理手順と、
所定のタイミングにおいて前記チェック項目管理手順により未チェックのチェック項目が存在する場合に、未チェックのチェック項目が存在する旨を報知する報知手順と
をさらにコンピュータに実行させることを特徴とする請求項１０に記載の忘れ物確認プログラム。
【請求項１２】
前記報知手順は、前記利用者が所在場所から外出する時刻を検知し、検知された時刻において前記チェック項目管理手順により未チェックのチェック項目が存在する場合に、未チェックのチェック項目が存在する旨を報知することを特徴とする請求項１１に記載の忘れ物確認プログラム。
【請求項１３】
前記報知手順は、前記利用者が所在場所から外出する際の外出準備行動を検知し、該外出準備行動が検知された際に前記チェック項目管理手順により未チェックのチェック項目が存在する場合に、未チェックのチェック項目が存在する旨を報知することを特徴とする請求項１１に記載の忘れ物確認プログラム。
【請求項１４】
各チェック項目の過去のチェック漏れ履歴を前記記憶部に格納する履歴格納手順と、
前記履歴格納手順により格納された過去のチェック漏れ履歴に基づいて、前記チェックリスト内の各チェック項目の順序を変更する順序変更手順と
をさらにコンピュータに実行させることを特徴とする請求項１０〜１３のいずれか一つに記載の忘れ物確認プログラム。
【請求項１５】
前記チェックリスト修正手順は、所定の期間が経過する度に、前記外部情報取得手順により外部情報を取得し、取得した外部情報及び前記適用条件格納手順により格納した適用条件に基づいて前記チェックリストを修正することを特徴とする請求項１０〜１４のいずれか一つに記載の忘れ物確認プログラム。
【請求項１６】
警備システムから前記警備情報を取得する警備情報取得手順をさらにコンピュータに実行させ、
前記適用条件格納手順は、
前記チェックリストに含まれるチェック項目の削除又は該チェックリストへの新たなチェック項目の追加に係る前記外部情報の適用条件及び前記警備情報の適用条件を前記記憶部に格納し、
前記チェックリスト修正手順は、
前記外部情報取得手順により外部情報を取得した場合又は前記警備システムから前記警備情報を取得した場合に、前記適用条件格納手順により格納した適用条件に基づいて前記チェックリストを修正する
ことを特徴とする請求項１０に記載の忘れ物確認プログラム。
【発明の詳細な説明】
【技術分野】
【０００１】
この発明は、ユーザに適合したチェックリストを効率良く提供することができる携帯端末装置、忘れ物確認システム、忘れ物確認方法及び忘れ物確認プログラムに関する。
【背景技術】
【０００２】
従来、居住者が住戸から外出する場合には、窓やドアの施錠、電灯の消灯、ガスや水道の確認、所持品の忘れ物等の様々な事項を確認する必要がある。このため、かかる居住者は、外出時の忘れ物となる可能性のある所持品や外出時に見落とす可能性のある行動（本発明では、これらを「忘れ物」と総称する）をあらかじめメモ帳に手書きしておき、外出する際にかかるメモ帳を参照することで、忘れ物の漏れを防ぐことが多い。最近では、かかる手書きのメモの代わりに携帯電話のメモ機能等を用いるケースも増えつつある。
【０００３】
ところが、上記メモ帳や携帯電話のメモ機能は、人手を介してメモ帳等にチェック項目を記入しなければならず、このチェック項目を入力並びに更新するための人的労力が大きい。加えて、現実問題としては、居住者が入力を忘れがちなチェック項目も存在する。
【０００４】
これらのことから、かかるチェック項目の一部を自動入力する従来技術が知られている。例えば、特許文献１には、情報管理センタから過去の忘れ物ランキング情報を取得し、この忘れ物ランキング情報とユーザ端末で予め作成されたユーザ固有の携帯物リストを合成し、情報管理センタのデータベースに記憶されてある当該ユーザの忘れ物履歴に応じて並べ替えを行い、ユーザに携帯物確認リストを提示する携帯物確認システムが開示されている。
【先行技術文献】
【特許文献】
【０００５】
【特許文献１】特開２００８−３７２０号公報
【発明の概要】
【発明が解決しようとする課題】
【０００６】
しかしながら、上記特許文献１のものは、不特定多数のユーザにより入力された過去のチェック項目の統計データが利用されているため、必ずしもユーザ個々にカスタマイズされたチェック項目が追加されるわけではない。ユーザを取り巻く環境はユーザごとに異なるため、統計的にチェック漏れが多く生ずるチェック項目であっても、個々のユーザにとって重要であるとは限らないからである。このため、かかる特許文献１を用いたとしても、あくまでもユーザ自身が入力するユーザ固有のチェック項目こそが重要であり、この入力負担は軽減されない。
【０００７】
また、上記特許文献１によれば、チェックリスト内のチェック項目数を増やすことができる反面で、かかるチェック項目が増えてしまうと、ユーザにとって重要なチェック項目とそうでないチェック項目が混在してしまい、却ってユーザによるチェック漏れを招くおそれがある。ユーザ毎にチェック項目の軽重が異なるためである。
【０００８】
さらに、自宅警備のために警備システムを導入したユーザの場合には、警備システムで確認できるチェック項目については、ユーザ自身がチェックする必要がないため、かかる警備システム等と連携する場合に、不必要なチェック項目を除外する必要がある。
【０００９】
これらのことから、ユーザ個々に適合したチェックリストをいかに効率良く作成並びに更新するかが重要な課題となっている。かかる課題は、ユーザが自宅から外出する場合だけではなく、ユーザが職場等から社外に出かける場合にも同様に生ずる課題である。
【００１０】
本発明は、上記従来技術の課題を解決するためになされたものであって、ユーザに適合したチェックリストを効率良く提供することができる携帯端末装置、忘れ物確認システム、忘れ物確認方法及び忘れ物確認プログラムを提供することを目的とする。
【課題を解決するための手段】
【００１１】
上述した課題を解決し、目的を達成するため、請求項１に記載の発明は、複数のチェック項目を有するチェックリストを所定の表示部に表示制御する携帯端末装置であって、所定の情報サーバから外部情報を取得する外部情報取得手段と、前記チェックリストに含まれるチェック項目の削除又は該チェックリストへの新たなチェック項目の追加に係る前記外部情報の適用条件を記憶する適用条件記憶手段と、前記外部情報取得手段により外部情報を取得した場合に、前記適用条件記憶手段に記憶した適用条件に基づいて前記チェックリストを修正するチェックリスト修正手段とを備えたことを特徴とする。
【００１２】
また、請求項２に記載の発明は、請求項１に記載の発明において、前記チェックリストに含まれる各チェック項目のうち利用者によりチェックされない未チェックのチェック項目を管理するチェック項目管理手段と、所定のタイミングにおいて前記チェック項目管理手段により未チェックのチェック項目が存在する場合に、未チェックのチェック項目が存在する旨を報知する報知手段とをさらに備えたことを特徴とする。
【００１３】
また、請求項３に記載の発明は、請求項２に記載の発明において、前記報知手段は、利用者が所在場所から外出する時刻を検知し、検知された時刻において前記チェック項目管理手段により未チェックのチェック項目が存在する場合に、未チェックのチェック項目が存在する旨を報知することを特徴とする。
【００１４】
また、請求項４に記載の発明は、請求項２に記載の発明において、前記報知手段は、利用者が所在場所から外出する際の外出準備行動を検知し、該外出準備行動が検知された際に前記チェック項目管理手段により未チェックのチェック項目が存在する場合に、未チェックのチェック項目が存在する旨を報知することを特徴とする。
【００１５】
また、請求項５に記載の発明は、請求項１〜４のいずれか一つに記載の発明において、各チェック項目の過去のチェック漏れ履歴を記憶する履歴記憶手段と、前記履歴記憶手段に記憶された過去のチェック漏れ履歴に基づいて、前記チェックリスト内の各チェック項目の順序を変更する順序変更手段とをさらに備えたことを特徴とする。
【００１６】
また、請求項６に記載の発明は、請求項１〜５のいずれか一つに記載の発明において、前記チェックリスト修正手段は、所定の期間が経過する度に、前記外部情報取得手段から外部情報を取得し、取得した外部情報及び前記適用条件記憶手段に記憶した適用条件に基づいて前記チェックリストを修正することを特徴とする。
【００１７】
また、請求項７に記載の発明は、請求項１に記載の発明において、警備システムから警備情報を取得する警備情報取得手段をさらに備え、前記適用条件記憶手段は、前記チェックリストに含まれるチェック項目の削除又は該チェックリストへの新たなチェック項目の追加に係る前記外部情報の適用条件及び前記警備情報の適用条件を記憶し、前記チェックリスト修正手段は、前記外部情報取得手段により外部情報を取得した場合又は前記警備システムから警備情報を取得した場合に、前記適用条件記憶手段に記憶した適用条件に基づいて前記チェックリストを修正することを特徴とする。
【００１８】
また、請求項８に記載の発明は、複数のチェック項目を有するチェックリストを所定の表示部に表示制御する携帯端末装置と、該携帯端末装置と無線通信可能な情報サーバとを有する忘れ物確認システムであって、前記情報サーバは、前記携帯端末装置から情報要求を受け付けた場合に、自装置が管理する最新の情報を外部情報として前記携帯端末装置に送信し、前記携帯端末装置は、所定のタイミングで前記情報サーバに対して情報要求を行う情報要求手段と、前記情報サーバから通知される外部情報を受信する外部情報受信手段と、前記チェックリストに含まれるチェック項目の削除又は該チェックリストへの新たなチェック項目の追加に係る前記外部情報の適用条件を記憶する適用条件記憶手段と、前記外部情報受信手段により外部情報を受信した場合に、前記適用条件記憶手段に記憶した適用条件に基づいて前記チェックリストを修正するチェックリスト修正手段とを備えたことを特徴とする。
【００１９】
また、請求項９に記載の発明は、複数のチェック項目を有するチェックリストを所定の表示部に表示制御する携帯端末装置と、該携帯端末装置と無線通信可能な情報サーバとを有する忘れ物防止システムにおける忘れ物確認方法であって、前記携帯端末装置が、所定のタイミングで前記情報サーバに対して情報要求を行う情報要求工程と、前記情報サーバが、前記携帯端末装置から情報要求を受け付けた場合に、自装置が管理する最新の情報を外部情報として前記携帯端末装置に送信する外部情報送信工程と、前記携帯端末装置が、前記情報サーバから通知される外部情報を受信する外部情報受信工程と、前記携帯端末装置が、前記外部情報受信工程により外部情報を受信した場合に、前記チェックリストに含まれるチェック項目の削除又は該チェックリストへの新たなチェック項目の追加に係る前記外部情報の適用条件に基づいて前記チェックリストを修正するチェックリスト修正工程とを含んだことを特徴とする。
【００２０】
また、請求項１０に記載の発明は、複数のチェック項目を有するチェックリストを所定の表示部に表示制御する携帯端末装置で実行される忘れ物確認プログラムであって、前記チェックリストに含まれるチェック項目の削除又は該チェックリストへの新たなチェック項目の追加に係る外部情報の適用条件を記憶部に格納する適用条件格納手順と、所定の情報サーバから外部情報を取得する外部情報取得手順と、前記外部情報取得手順により外部情報を取得した場合に、前記記憶部に記憶した適用条件に基づいて前記チェックリストを修正するチェックリスト修正手順とをコンピュータに実行させることを特徴とする。
【００２１】
また、請求項１１に記載の発明は、請求項１０に記載の発明において、前記チェックリストに含まれる各チェック項目のうち利用者によりチェックされない未チェックのチェック項目を管理するチェック項目管理手順と、所定のタイミングにおいて前記チェック項目管理手順により未チェックのチェック項目が存在する場合に、未チェックのチェック項目が存在する旨を報知する報知手順とをさらにコンピュータに実行させることを特徴とする。
【００２２】
また、請求項１２に記載の発明は、請求項１１に記載の発明において、前記報知手順は、前記利用者が所在場所から外出する時刻を検知し、検知された時刻において前記チェック項目管理手順により未チェックのチェック項目が存在する場合に、未チェックのチェック項目が存在する旨を報知することを特徴とする。
【００２３】
また、請求項１３に記載の発明は、請求項１１に記載の発明において、前記報知手順は、前記利用者が所在場所から外出する際の外出準備行動を検知し、該外出準備行動が検知された際に前記チェック項目管理手順により未チェックのチェック項目が存在する場合に、未チェックのチェック項目が存在する旨を報知することを特徴とする。
【００２４】
また、請求項１４に記載の発明は、請求項１０〜１３のいずれか一つに記載の発明において、各チェック項目の過去のチェック漏れ履歴を前記記憶部に格納する履歴格納手順と、前記履歴格納手順により格納された過去のチェック漏れ履歴に基づいて、前記チェックリスト内の各チェック項目の順序を変更する順序変更手順とをさらにコンピュータに実行させることを特徴とする。
【００２５】
また、請求項１５に記載の発明は、請求項１０〜１４のいずれか一つに記載の発明において、前記チェックリスト修正手順は、所定の期間が経過する度に、前記外部情報取得手順により外部情報を取得し、取得した外部情報及び前記適用条件格納手順により格納した適用条件に基づいて前記チェックリストを修正することを特徴とする。
【００２６】
また、請求項１６に記載の発明は、請求項１０に記載の発明において、警備システムから前記警備情報を取得する警備情報取得手順をさらにコンピュータに実行させ、前記適用条件格納手順は、前記チェックリストに含まれるチェック項目の削除又は該チェックリストへの新たなチェック項目の追加に係る前記外部情報の適用条件及び前記警備情報の適用条件を前記記憶部に格納し、前記チェックリスト修正手順は、前記外部情報取得手順により外部情報を取得した場合又は前記警備システムから前記警備情報を取得した場合に、前記適用条件格納手順により格納した適用条件に基づいて前記チェックリストを修正することを特徴とする。
【発明の効果】
【００２７】
本発明によれば、携帯端末装置が所定の情報サーバから外部情報を取得した場合に、チェックリストに含まれるチェック項目の削除又は該チェックリストへの新たなチェック項目の追加に係る外部情報の適用条件に基づいてチェックリストを修正するよう構成したので、ユーザに適合したチェックリストを効率良く提供することができる。
【図面の簡単な説明】
【００２８】
【図１】図１は、本実施例１に係る忘れ物確認システムの概念を説明するための説明図である。
【図２】図２は、本実施例１に係る携帯端末の構成を示す機能ブロック図である。
【図３】図３は、図２に示したチェック項目候補データの一例を示す図である。
【図４】図４は、図２に示したチェック項目修正ルールデータの一例を示す図である。
【図５】図５は、図２に示したチェックリストデータの一例を示す図である。
【図６】図６は、図２に示したチェック状態データの一例を示す図である。
【図７】図７は、図２に示したユーザ設定データ登録処理部によるユーザ設定データの登録処理手順を示すフローチャートである。
【図８】図８は、ユーザ設定データ登録メニューの一例を示す図である。
【図９】図９は、図２に示した携帯端末によるチェックリスト使用時の処理手順を示すフローチャートである。
【図１０】図１０は、図９に示したチェックリストデータの修正処理手順を示すフローチャートである。
【図１１】図１１は、図２に示した携帯端末の各機能部をプログラムにより実現する場合の説明図である。
【図１２】図１２は、本実施例２に係る携帯端末が情報サイトと連携する動作を説明するための説明図である。
【図１３】図１３は、本実施例２に係る携帯端末が行動確認プログラムを実行する構成を説明するための説明図である。
【図１４】図１４は、本実施例２に係る携帯端末の構成を示す機能ブロック図である。
【図１５】図１５は、本実施例２に係るチェック項目候補データの一例を示す図である。
【図１６】図１６は、過去の実績に基づき、チェック項目の優先順位を変える手順を示すフローチャートである。
【図１７】図１７は、本実施例３に係る警備システムとの連携の概念を説明するための説明図である。
【図１８】図１８は、本実施例３に係る携帯端末が警備システムと連携する動作を説明するための説明図である。
【図１９】図１９は、本実施例３に係る携帯端末の構成を示す機能ブロック図である。
【図２０】図２０は、本実施例３に係るチェック項目データの一例を示す図である。
【図２１】図２１は、本実施例３に係るチェック項目修正ルールデータの一例を示す図である。
【発明を実施するための形態】
【実施例１】
【００２９】
以下、添付図面を参照して本発明の好適な実施例を詳細に説明する。なお、本実施例では、ユーザが所有する携帯電話端末、スマートフォン及びタブレット等の各種携帯端末装置（以下、単に「携帯端末」と言う）を用いる場合を示すこととする。
【００３０】
図１は、本実施例１に係る忘れ物確認システムの概念を説明するための説明図である。同図に示すように、携帯端末１００は、チェックリスト用のアプリケーションを起動することにより、忘れ物のチェック項目及びチェック用入力枠からなるチェックリストを表示部１０３上に表示することができる。ここでは、初期状態として、「財布」、「鍵」、「傘」、「窓施錠」及び「花粉マスク」をチェック項目とするチェックリスト１０３ａが表示部１０３に表示された状況を示している。
【００３１】
かかる状況において、この携帯端末１００は、図示しない基地局、携帯電話網、無線通信網及び公衆回線網等を介して気象データサーバ２５０にアクセスし、気象状況並びに花粉状況等に関する情報（以下、「気象情報」と総称する）を取得する。ここでは、携帯端末１００が気象データサーバ２５０から「降水確率１５％」及び「花粉注意報無し」との気象情報を取得した場合を示している。
【００３２】
この気象情報を取得した携帯端末１００は、取得した気象情報に応答して、表示部１０３に表示したチェックリスト１０３ａを修正し、修正後のチェックリスト１０３ｂを表示部１０３に表示する。ここでは、「財布」、「鍵」、「窓施錠」、「折り畳み傘」及び「診察券」をチェック項目としたチェックリスト１０３ｂを表示した状況を示している。
【００３３】
ここで、このチェックリスト１０３ｂには、チェックリスト１０３ａに存在したチェック項目「傘」が削除されるとともに、チェック項目「折り畳み傘」が追加されている。降水確率が「１５％」と低く、ユーザが「傘」に代えて「折り畳み傘」を所持すれば足りるからである。
【００３４】
同様に、このチェックリスト１０３ｂには、チェックリスト１０３ａに存在したチェック項目「花粉マスク」が削除されている。花粉注意報が発令されておらず、「花粉マスク」を所持する必要がないためである。また、このチェックリスト１０３ｂには、「診察券」が追加されている。毎週木曜日にユーザが定期的に通院する必要があり、かつ、当日が診察日である場合を考慮したものである。
【００３５】
このように、本実施例１に係る忘れ物確認システムでは、チェックリスト内のチェック項目を固定的に取り扱うのではなく、外部要因や曜日等の情報に基づいてチェック項目を更新し、ユーザにカスタマイズされたチェック項目とするよう構成している。なお、チェック項目の追加又は削除の具体的な処理についての説明は後述する。
【００３６】
次に、本実施例１に係る携帯端末１００の構成について説明する。図２は、本実施例１に係る携帯端末１００の構成を示す機能ブロック図である。同図に示すように、携帯端末１００は、アンテナ１０１、無線通信部１０２、表示部１０３、操作部１０４、ＧＰＳ（Global Positioning System）ユニット１０５、音声入出力部１０６、記憶部１０７及び制御部１０８を有する。
【００３７】
無線通信部１０２は、アンテナ１０１を介して図示しない基地局との間で無線通信を行う処理部であり、この基地局を介して気象データサーバ２５０等の情報サーバから外部情報を取得して制御部に出力する。また、図示省略したが無線ＬＡＮ（Local Area Network）等を介して情報サーバと通信を行うことも可能である。
【００３８】
表示部１０３は、制御部１０８からの表示データを表示するとともに、タップされた入力信号を、操作部１０４を介して制御部１０８に出力するタッチ式の液晶ディスプレイである。
【００３９】
操作部１０４は、携帯端末筐体に設けられた複数の操作ボタン及びタッチパネル式の表示部１０３からの入力信号を受け付け、制御部１０８へ出力する。ＧＰＳユニット１０５は、ＧＰＳ衛星からの信号を受信して携帯端末１００の位置を検出し、制御部１０８へ出力する。音声入出力部１０６は、ユーザの音声並びに周囲の音声を入力し、これをＡ／Ｄ変換して制御部１０８に出力する。
【００４０】
記憶部１０７は、不揮発性メモリ等により形成される記憶媒体であり、チェック項目候補データ１０７ａ、チェック項目修正ルールデータ１０７ｂ、チェックリストデータ１０７ｃ及びチェック状態データ１０７ｄを記憶する。
【００４１】
チェック項目候補データ１０７ａは、ユーザがチェックリストのチェック項目として選択する際の候補となる複数のチェック項目を有するデータである。このチェック項目候補データ１０７ａには、デフォルトデータとしてあらかじめ決められたチェック項目と、ユーザ設定データとしてユーザが自身で設定したチェック項目が含まれる。なお、チェック項目候補データ１０７ａは、チェック項目ごとに外部情報との関連を記憶する。
【００４２】
チェック項目修正ルールデータ１０７ｂは、外部情報に応じてチェックリストデータ１０７ｃ内のチェック項目を追加又は削除するためのルールを記憶するデータである。
【００４３】
チェックリストデータ１０７ｃは、チェックリスト内の複数のチェック項目からなるデータである。このチェックリストデータ１０７ｃは、外部情報に応じて自動的に追加又は削除される。チェック状態データ１０７ｄは、チェックリスト内のチェック項目がユーザによってチェックされたか否かのログ情報からなるデータである。
【００４４】
制御部１０８は、携帯端末１００を全体制御する制御部であり、ユーザ設定データ登録処理部１０８ａ、チェックリストデータ生成部１０８ｂ、チェックリストデータ修正処理部１０８ｃ、チェック状態管理部１０８ｄ、報知処理部１０８ｅ及びタイマ処理部１０８ｆを有する。
【００４５】
ユーザ設定データ登録処理部１０８ａは、チェック項目候補データ１０７ａのデフォルトデータに存在しないチェック項目をユーザ設定データとして登録する処理部である。新たなチェック項目を登録する場合には、登録するチェック項目と該チェック項目を修正する際の条件及び修正内容とを登録する。
【００４６】
チェックリストデータ生成部１０８ｂは、ユーザが利用するチェックリストを生成する処理部である。新たなチェックリストを生成する場合には、チェック項目候補データ１０７ａ内に登録されたチェック項目からユーザが望むチェック項目を選択することで、該選択されたチェック項目が含まれるチェックリストデータ１０７ｃが生成される。例えば、携帯端末１００の表示部１０３にチェック項目候補データ１０７ａ内に登録されたチェック項目を一覧表示しておき、このチェック項目のうちの選択されたチェック項目を含むチェックリストが生成されることになる。なお、かかるチェックリストデータ生成部１０８ｂは、ユーザの用途に応じて複数のチェックリストデータ１０７ｃを生成することができる。
【００４７】
チェックリストデータ修正処理部１０８ｃは、外部情報に応答してチェックリストデータ１０７ｃ内のチェック項目を追加又は削除することでチェックリストデータ１０７ｃを修正する処理部である。例えば、チェック項目の一つに「傘」が存在した場合であっても、降水確率が０％であればチェック項目「傘」をチェックリストデータ１０７ｃから削除する。一方、チェック項目に「診察券」が含まれていない場合であっても、当日が定期診断日である場合には、チェック項目「診察券」をチェックリストデータ１０７ｃに追加する。
【００４８】
チェック状態管理部１０８ｄは、チェック状態データ１０７ｄを用いて、チェックリストデータ１０７ｃに含まれる各チェック項目がユーザに確認されたか否かの状態を管理する管理部である。具体的には、ユーザの外出予定時刻が到来した時点又はユーザが玄関付近で外出準備行動を行う状況を検知した時点で、チェックリストデータ１０７ｃに含まれる各チェック項目がユーザに確認されたか否かを判定し、その結果を報知処理部１０８ｅに通知する処理を行うとともに、チェック状態データとして記録する。
【００４９】
報知処理部１０８ｅは、チェック状態管理部１０８ｄからチェックリストデータ１０７ｃに含まれるチェック項目のうちユーザに確認されないチェック項目が存在する旨の通知を受け付けた際に、その旨のアラームを報知する処理部である。
【００５０】
タイマ処理部１０８ｆは、計時処理を行うタイマであり、現在時刻をチェックリストデータ修正処理部１０８ｃ及びチェック状態管理部１０８ｄに対して通知する処理を行う。
【００５１】
上記構成を有する携帯端末１００を用いることにより、画一的なチェックリストではなく、外部情報に応じてチェック項目を動的に変動させたチェックリストを表示部１０３に表示し、もってユーザの忘れ物を効率良く防止することが可能となる。
【００５２】
次に、図３〜図６を用いて、図２に示したチェック項目候補データ１０７ａ、チェック項目修正ルールデータ１０７ｂ、チェックリストデータ１０７ｃ及びチェック状態データ１０７ｄについてさらに詳細に説明する。
【００５３】
図３は、図２に示したチェック項目候補データ１０７ａの一例を示す図である。同図に示すように、このチェック項目候補データ１０７ａには、デフォルトデータとして持ち物と行動がそれぞれ設定されている。ここでは、持ち物のチェック項目の一例として、「財布」、「鍵」及び「傘」が含まれる場合を示し、行動のチェック項目の一例として、「玄関施錠」、「窓施錠」及び「消灯」が含まれる場合を示している。
【００５４】
また、このチェック項目候補データ１０７ａには、デフォルトデータ以外にユーザが望むチェック項目をユーザ設定データとして登録することができる。ここでは、「折り畳み傘」、「診察券」及び「花粉マスク」のチェック項目をユーザ設定データとして登録した場合を示している。
【００５５】
さらに、このチェック項目候補データ１０７ａでは、チェック項目ごとに外部情報との関連に関するデータを含んでいる。かかるデータを含めた理由は、携帯端末１００が外部情報を取得した場合に、該外部情報と関連するチェック項目を特定するためである。ここでは、チェック項目「傘」、「折り畳み傘」及び「花粉マスク」が気象データと関連し、チェック項目「診察券」が曜日データと関連する状況を示している。
【００５６】
図４は、図２に示したチェック項目修正ルールデータ１０７ｂの一例を示す図である。同図に示すように、このチェック項目修正ルールデータ１０７ｂでは、チェック項目ごとに条件（チェック項目の修正を適用するための条件）及び修正内容を対応付けられている。
【００５７】
例えば、チェック項目「傘」には、「降水確率３０％以上」という条件と「追加」という修正内容が対応付けられているため、外部情報として取得した気象情報に「降水確率４０％」が含まれているならば、チェックリストデータ１０７ｃのチェック項目に「傘」が存在しない場合でも、このチェック項目「傘」をチェックリストデータ１０７ｃに追加する。また、チェック項目「傘」には、「降水確率３０％未満」という条件と「削除」という修正内容が対応付けられているため、外部情報として取得した気象情報に「降水確率１５％」が含まれているならば、チェックリストデータ１０７ｃのチェック項目に「傘」が存在する場合に、このチェック項目「傘」をチェックリストデータ１０７ｃから削除する。
【００５８】
図５は、図２に示したチェックリストデータ１０７ｃの一例を示す図である。同図（ａ）に示すように、当初のチェック項目が「財布」、「鍵」、「傘」、「窓施錠」及び「花粉マスク」である場合に、外部情報として気象データ（降水確率１５％、花粉注意報なし）及び曜日データ（木曜日）を取得したならば、かかる外部情報に応答してチェックリストデータ１０７ｃ内のチェック項目が修正される。
【００５９】
具体的には、図５（ｂ）に示すように、チェックリストデータ１０７ｃからチェック項目「傘」とチェック項目「花粉マスク」が削除される。「降水確率１５％」という気象データとチェック項目修正ルールデータ１０７ｂ内の「降水確率３０％未満」という条件から、チェックリストデータ１０７ｃからチェック項目「傘」が削除されるべきと判定されるためである。また、「花粉注意報なし」という気象データとチェック項目修正ルールデータ１０７ｂ内の「花粉注意報なし」という条件から、チェックリストデータ１０７ｃからチェック項目「花粉マスク」が削除されるべきと判定されるためである。
【００６０】
さらに、図５（ｂ）に示すように、チェックリストデータ１０７ｃにチェック項目「折り畳み傘」とチェック項目「診察券」が追加される。「降水確率１５％」という気象データとチェック項目修正ルールデータ１０７ｂ内の「降水確率１０％以上３０％未満」という条件から、チェックリストデータ１０７ｃにチェック項目「折り畳み傘」を追加すべきと判定されるためである。また、「木曜日」という曜日データとチェック項目修正ルールデータ１０７ｂ内の「木曜日」という条件から、チェックリストデータ１０７ｃにチェック項目「診察券」を追加すべきと判定されるためである。
【００６１】
図６は、図２に示したチェック状態データ１０７ｄの一例を示す図である。同図に示すように、チェック状態データ１０７ｄは、チェックリストデータ１０７ｃを一意に識別するチェックリスト、チェック日時、チェック項目及びチェック状態を対応付けたデータである。
【００６２】
かかるチェック状態データ１０７ｄは一種のログデータであり、このチェック状態データ１０７ｄを参照することで、未チェックであったチェック項目を把握することができる。
【００６３】
次に、図２に示したユーザ設定データ登録処理部１０８ａによるユーザ設定データの登録処理手順について説明する。図７は、図２に示したユーザ設定データ登録処理部１０８ａによるユーザ設定データの登録処理手順を示すフローチャートである。
【００６４】
同図に示すように、所定の操作が行われると、ユーザ設定データ登録処理部１０８ａがユーザ設定データ登録メニューを表示部１０３に表示する（ステップＳ１０１）。図８は、ユーザ設定データ登録メニューの一例を示す図である。同図に示すように、ユーザは、新たに登録するチェック項目の文字列「折り畳み傘」を入力するとともに、このチェック項目に対応する条件を条件設定する。具体的には、事前登録された条件（例えば、「降水確率」）をプルダウンメニューにより選択し、入力枠内に条件の細部となる数値を入力する。なお、ここでは、チェックリストデータ１０７ｃに追加する際の条件のみを入力する場合を示している。
【００６５】
このようにして、ユーザがユーザ設定データを入力して完了ボタンを押下操作したならば（ステップＳ１０２；Ｙｅｓ）、チェック項目候補データ１０７ａにチェック項目を追加し（ステップＳ１０３）、チェック項目修正ルールデータ１０７ｂにチェック項目、条件及び修正内容を追加する（ステップＳ１０４）。
【００６６】
そして、新たなユーザ設定データを継続して入力する場合には（ステップＳ１０５；Ｎｏ）、ステップＳ１０１に移行して同様の処理を繰り返し、処理終了が選択されたならば（ステップＳ１０５；Ｙｅｓ）、上記一連の処理を終了する。
【００６７】
次に、図２に示した携帯端末１００によるチェックリスト使用時の処理手順について説明する。図９は、図２に示した携帯端末１００によるチェックリスト使用時の処理手順を示すフローチャートである。
【００６８】
同図に示すように、ユーザが所望のチェックリストを選択して所定の起動操作がなされると、選択されたチェックリストに対応するチェックリストデータ１０７ｃが表示部１０３に表示制御される（ステップＳ２０１）。ここで、タイマ処理部１０８ｆにより通知された時刻から所定の時間が経過したと判定されたならば（ステップＳ２０２；Ｙｅｓ）、後述するチェックリストデータ１０７ｃの修正処理が行われ（ステップＳ２０３）、表示部１０３の表示内容が更新される（ステップＳ２０４）。一方、所定の時間が経過しないと判定されたならば（ステップＳ２０２；Ｎｏ）、そのままステップＳ２０５に移行する。
【００６９】
その後、表示部１０３を介してタップ操作を受け付けたか否かを判定し（ステップＳ２０５）、タップ操作を受け付けたならば（ステップＳ２０５；Ｙｅｓ）、該当するチェック項目のチェック結果を更新し（ステップＳ２０６）、表示部１０３の表示内容を更新する（ステップＳ２０７）。具体的には、チェックリストデータ１０７ｃの該当するチェック項目に対応するチェック結果の領域にチェック済みのフラグを立てることになる。
【００７０】
その後、ユーザの外出を検知するまでの間は（ステップＳ２０８；Ｎｏ）、上記ステップＳ２０２に移行して同様の処理を繰り返し、ユーザの外出を検知したならば（ステップＳ２０８；Ｙｅｓ）、チェックリストデータ１０７ｃの全てのチェック項目に対応するチェック結果の領域にチェック済みのフラグが立てられているか否かを判定し（ステップＳ２０９）、チェック済みのフラグが立てられていないチェック項目が存在する場合には（ステップＳ２０９；Ｙｅｓ）、該当するチェック項目が未チェックである旨を報知する（ステップＳ２１０）。かかる報知は、警告音の出力若しくは表示部１０３への表示により行う。
【００７１】
その後、チェックリストデータ１０７ｃの各チェック項目に対応するチェック漏れの累積回数を加算（ステップＳ２１１）し、このチェック結果を利用してチェック状態データを生成し（ステップＳ２１２）、上記一連の処理を終了する。
【００７２】
次に、図９のステップＳ２０３に示したチェックリストデータ１０７ｃの修正処理について説明する。図１０は、図９のステップＳ２０３に示したチェックリストデータ１０７ｃの修正処理手順を示すフローチャートである。同図に示すように、携帯端末１００は、あらかじめ登録された情報サーバ（図１に示した気象データサーバ２５０等）にアクセスして外部情報（気象データ等）を取得する（ステップＳ３０１）。
【００７３】
その後、この外部情報と関連するチェック項目が存在するか否かを確認する（ステップＳ３０２）。具体的には、チェック項目候補データ１０７ａの「外部情報との関連」の欄を参照して該当するチェック項目が存在するか否かを判定する。
【００７４】
その結果、外部情報と関連するチェック項目が複数存在する場合には（ステップＳ３０２；Ｙｅｓ）、そのうちの一つのチェック項目を選択し（ステップＳ３０３）、チェック項目修正ルールデータ１０７ｂの条件に応じてチェックリストデータ１０７ｃに追加又は削除する（ステップＳ３０４）。
【００７５】
そして、外部情報と関連する未処理のチェック項目が存在する場合には（ステップＳ３０５；Ｙｅｓ）、ステップＳ３０３に移行して同様の処理を繰り返し、外部情報に関連する未処理のチェック項目がなくなったならば（ステップＳ３０５；Ｎｏ）、処理を終了する。
【００７６】
次に、図２に示した携帯端末１００の各機能部をプログラムにより実現する場合について説明する。図１１は、図２に示した携帯端末１００の各機能部をプログラムにより実現する場合の説明図である。同図に示すように、図２に示した携帯端末１００は、ＣＰＵ１１１（メインメモリを含む）、ＧＰＳユニット１１２、音声入出力ユニット１１３、無線通信ユニット１１４、操作受付ユニット１１５、ディスプレイユニット１１６、フラッシュメモリ１１７をバス１１９で接続した構成となる。
【００７７】
ここで、このフラッシュメモリ１１７にチェックリストプログラム１３０を記憶しておき、ＣＰＵ１１１は、このチェックリストプログラム１３０をフラッシュメモリ１１７から読み出して図示しないメインメモリに展開し、チェックリストプログラム１３０が有するプロセスを実行する。
【００７８】
具体的には、かかるチェックリストプログラム１３０により、ユーザ設定データ登録プロセス１２１、チェックリストデータ生成プロセス１２２、チェックリストデータ修正プロセス１２３、チェック状態管理プロセス１２４、報知処理プロセス１２５及びタイマ処理プロセス１２６が生成される。
【００７９】
このユーザ設定データ登録プロセス１２１が図２に示すユーザ設定データ登録処理部１０８ａに対応し、チェックリストデータ生成プロセス１２２が図２に示すチェックリストデータ生成部１０８ｂに対応し、チェックリストデータ修正プロセス１２３が図２に示すチェックリストデータ修正処理部１０８ｃに対応し、チェック状態管理プロセス１２４が図２に示すチェック状態管理部１０８ｄに対応し、報知処理プロセス１２５が図２に示す報知処理部１０８ｅに対応し、タイマ処理プロセス１２６が図２に示すタイマ処理部１０８ｆに対応する。
【００８０】
上述してきたように、本実施例１では、携帯端末１００の表示部１０３にチェックリスト１０３ａを表示しておき、気象データサーバ２５０等の外部サーバから外部情報を取得した場合に、この外部情報に応答してチェック項目を追加又は削除した修正後のチェックリスト１０３ｂを表示部１０３に表示するよう構成したので、ユーザに適合したチェックリストを提供し、もって忘れ物を効率良く防止することが可能となる。
【００８１】
なお、本実施例１では、気象データサーバ２５０から気象データを取得する場合を例示しつつ説明したが、本発明はこれに限定されるものではなく、他の外部サーバから外部情報を取得する場合に適用することもできる。例えば、図１２に示すように、情報サイト２６０から「医療機関の臨時休診」に関する外部情報を取得することもできる。かかる場合に、チェック項目「診察券」がチェックリストに存在する場合であっても、この「医療機関の臨時休診」に関する情報に応答してチェック項目「診察券」をチェックリストから外すことが可能となる。
【実施例２】
【００８２】
ところで、上記実施例１では、ユーザにより選択された順序でチェックリスト内の各チェック項目を整列させる場合を示したが、本発明はこれに限定されるものではなく、過去にユーザがチェックをし忘れた実績に応じてチェックリスト内の各チェック項目を整列させることもできる。表示部１０３の上部にあるチェック項目ほどチェック忘れの可能性が低くなるためである。
【００８３】
そこで、本実施例２では、「チェック漏れの累積回数」に基づいてチェック項目の並び順を変更する場合を示すこととする。なお、上記実施例１と共通する箇所についての重複した説明は省略することとする。
【００８４】
図１３は、過去の「チェック漏れ回数」に応じてチェック項目を変更する場合を説明するための説明図である。図１３のチェックリスト１０３ａでは、「財布」、「鍵」、「傘」、「窓施錠」及び「花粉マスク」を表示している。この状態から、気象データや曜日データに基づいてチェック項目の追加及び削除を行なう場合に、実施例２では、「チェック漏れ回数」の順にソートして表示を行なう。
【００８５】
図１３のチェックリスト１０３ｂは、気象データに基づいて「花粉マスク」及び「傘」を削除して「折り畳み傘」を追加し、曜日データに基づいて「診察券」を追加している。このチェックリスト１０３ｂでは、「チェック漏れ回数」の順にソートした結果、「財布」、「鍵」、「診察券」、「窓施錠」、「折り畳み傘」の順に表示されている。
【００８６】
チェックリスト１０３ａが示すように、「傘」のチェック漏れ回数は、「窓施錠」よりも多い、すなわち、「窓施錠」よりも「傘」の方を忘れることが多いため、「傘」と「窓施錠」とを表示するときは、「傘」を先に表示する。
【００８７】
一方、チェックリスト１０３ｂが示すように、「折り畳み傘」のチェック漏れ回数は、「窓施錠」よりも少ない、すなわち、「窓施錠」よりも「折り畳み傘」の方を忘れることが少ないため、「折り畳み傘」と「窓施錠」とを表示するときは、「折り畳み傘」を先に表示する。
【００８８】
次に、本実施例２に係る携帯端末２００の構成について説明する。図１４は、本実施例２に係る携帯端末２００の構成を示す機能ブロック図である。実施例１と共通する部分は同一の符号を付すものとし、説明は省略する。
【００８９】
チェックリストデータ修正処理部３０１は、過去のチェックリスト実績に応じてチェックリストデータ１０７ｃ内のチェック項目をソートする処理部である。チェック漏れ回数が多いチェック項目についてはチェックリストの上位に表示する。
【００９０】
チェック状態管理部３０２は、チェック状態データ１０７ｄを用いて、チェックリストデータ１０７ｃに含まれる各チェック項目が過去に何回チェック漏れがあったかを管理する処理部である。そのチェック漏れ回数はチェック項目候補データ３０３として記憶されることになる。また、チェック漏れ回数を累積しそのデータをチェックリストデータ修正処理部３０１に渡す。
【００９１】
図１５は、チェック項目候補データの一例を示す図である。同図に示すように、チェック項目はそれぞれチェック項目のチェック漏れ累積回数が記録される。同図の場合には、チェック項目「傘」、「財布」の順にチェック漏れが多いことが示されている。また、図３と同様に、チェック項目とチェック漏れ回数と外部情報との関連が図１３のように表示されることになる。
【００９２】
図１６はチェック漏れ回数に基づく優先順位の変更手順を示すフローチャートである。同図は、図９のチェックリストデータの修正処理に当たる処理を示したものである。図１６に示すように、外部情報によるチェックリスト項目追加の最終段階（ステップＳ４０６）で、チェック漏れ回数によるチェック項目のソート処理をしていることとしている。
【００９３】
なお、ここではチェック漏れ回数に応じてチェック項目をソートすることとしているが、文字の大きさや色でチェック項目の優先を示すことも可能である。
【００９４】
上述してきたように、本実施例２では、チェック漏れの累積回数に基づいてチェック項目の並び順等を変更するよう構成したので、過去にユーザがチェックをし忘れた実績に応じてチェックリストの表示を変更し、もって忘れ物を効率良く防止することが可能となる。
【実施例３】
【００９５】
上記実施例１及び２では外部の情報サイト等から外部情報を取得し、連携する場合を示したが、本実施例３では、具体的に宅内に警備システムを導入している場合に、携帯端末３００と警備システムがどのように連携するかを説明する。
【００９６】
図１７は、本実施例３に係る警備システムとの連携の概念を説明するための説明図である。実施例１および２と同様に、携帯端末３００は、チェックリスト用のアプリケーションを起動することにより、忘れ物のチェック項目及びチェック用入力枠からなるチェックリストを表示部１０３に表示する。ここでは、初期状態として図１と同様のチェック項目とするチェックリスト１０３ａが表示部１０３に表示された状況を示している。
【００９７】
図１７では、警備システム５００を起動させるチェック項目「警備セット」が追加されたことを示している。これに伴いチェック項目「窓施錠」が非表示となり、チェック項目「警備セット鍵」が新たに追加されている。チェック項目「窓施錠」が非表示となるのは、警備システム５００がセットされたことで窓の施錠が警備システム５００によってチェックされ、ユーザによる確認が不要となるためである。また、「警備セット鍵」は、警備システム５００のオン・オフを切り替えるための鍵である。警備システム５００をセットして外出する場合には、帰宅時に警備セット鍵を用いて警備システム５００のオフ操作を行う必要があるため、「警備セット鍵」が持ち物として追加されている。なお、警備セット鍵は、非接触ＩＣカードや、ＩＣタグ、磁気カード等である。
【００９８】
図１８は、本実施例３に係る携帯端末３００が警備システムと連携した場合の概念を示した図である。宅内の警備システム５００は、ガスセンサ５１０、ドアの施錠センサ５１１、侵入者を監視する監視カメラ５１３、これらのセンサ類からの情報を監視し、監視情報を警備会社(警備センタ)４００へ伝送するコントローラユニット５１２が設置されているものとする。
【００９９】
携帯端末３００、警備システム５００及び警備センタ４００は、前記の通信網を介して相互接続される。警備システム５００は窓及び玄関の施錠状態を監視する施錠センサ５１１、玄関の監視カメラ５１３、監視カメラ５１３の監視状態を検知して警備センタ４００に監視情報を送るコントローラユニット５１２からなる。警備センタ４００は、コントローラユニット５１２から送信される監視データに基づき警備システム５００の警備状況を把握する。
【０１００】
次に、本実施例３に係る携帯端末３００の構成について説明する。図１９は、本実施例３に係る携帯端末３００の構成を示す機能ブロック図である。実施例１および２と共通する部分は同一の符号を付すものとし、説明は省略する。
【０１０１】
チェックリストデータ修正処理部４０１は、チェックリストにチェック項目「警備セット」が追加されることに伴い、チェックリストデータ１０７ｃのように関連するチェック項目の追加・削除を行う処理部である。
【０１０２】
チェック状態管理部４０２は、チェック項目「警備セット」のチェック状態を管理し、チェックされていない場合には、ユーザに対してチェックを促し、チェックされた場合には、警備システム５００に対して「警備セット」の指示を出す処理部である。
【０１０３】
チェック項目修正ルールデータ４０４は、警備システム５００をセットする場合において各チェック項目の関連を示すデータである。表示部１０３には、チェック項目「警備セット」が選択された場合のチェックリストが表示される。
【０１０４】
ここで、図１７に示すように、チェックリスト１０３ｃには、チェックリスト１０３ａに存在していたチェック項目「窓施錠」が削除されるとともに、チェック項目「警備セット鍵」が追加されている。チェック項目「窓施錠」が削除されているのは、チェック項目「警備セット」をチェックすれば警備システム５００がセットされ、警備システム５００がチェック項目「窓施錠」をチェックすることになるからである。
【０１０５】
また、チェック項目「警備セット鍵」が追加されている。これは、警備システム５００をセットして外出した場合、ユーザが、帰宅時に警備セット鍵を用いて警備システム５００のオフ操作を行う必要があるため、持ち物として追加されている。
【０１０６】
このように、本実施例３に係る忘れ物確認システムでは、警備システム５００をセットすることに伴い、チェック項目を更新し、ユーザにカスタマイズされたチェック項目とするように構成している。なお、チェック項目「警備セット」のチェックボックスをタッピングして警備セットを選択すれば、すべてのチェックが完了した時点において自動で警備セットがなされる。
【０１０７】
図２０は、本実施例３に係るデフォルト設定にチェック項目「警備セット」が追加された場合のチェック項目候補データを示す図である。図３と同様に、チェック項目候補データ４０３は、チェック項目ごと警備システム５００との関連を記憶したものである。
【０１０８】
図２１は、チェック項目「警備セット」の有り無しに応じてチェックリストデータ１０７ｃ内のチェック項目を追加又は削除するためのルールを記憶したデータである。ここではチェック項目「警備セット」がチェックリストに追加されるかどうかで、チェック項目「窓施錠」及び「玄関施錠」が表示、非表示になることを示している。また、警備セットがチェックリストに追加された場合には、持ち物として「警備セット鍵」が追加され、警備セットがチェックリストから削除された場合には、「警備セット鍵」を削除することを示している。
【０１０９】
上記実施例１〜３では、外出前にチェックを行うのは、ユーザの外出予定時刻が到来した時点又はユーザが玄関付近で外出準備行動を行う状況を検知した時点としたが、警備システムの「警備を開始します」、あるいは「行ってきます」等の音声を検知して外出準備行動と判定してもよい。また、携帯端末に内蔵されている加速度センサを利用して靴を履く動作を検知して外出準備行動と判定してもよい。
【０１１０】
また、チェックリストプログラムとして実施する場合について、実施例１で詳細に説明し、実施例２及び３については説明を省略したが、実施例２及び３についても実施例１と同様に、チェックリストプログラムとして実施可能である。
【産業上の利用可能性】
【０１１１】
本発明は、ユーザに適合したチェックリストを効率良く提供する場合に有用である。
【符号の説明】
【０１１２】
１００、２００、３００    携帯端末
１０１    アンテナ
１０２    無線通信部
１０３    表示部
１０３ａ、１０３ｂ、１０３ｃ    チェックリスト
１０４    操作部
１０５、１１２    ＧＰＳユニット
１０６    音声入出力部
１０７    記憶部
１０７ａ、３０３、４０３    チェック項目候補データ
１０７ｂ、４０４    チェック項目修正ルールデータ
１０７ｃ    チェックリストデータ
１０７ｄ    チェック状態データ
１０８    制御部
１０８ａ    ユーザ設定データ登録処理部
１０８ｂ    チェックリストデータ生成部
１０８ｃ、３０１、４０１    チェックリストデータ修正処理部
１０８ｄ、３０２、４０２    チェック状態管理部
１０８ｅ    報知処理部
１０８ｆ    タイマ処理部
１１１    ＣＰＵ（Central Processing Unit）
１１３    音声入出力ユニット
１１４    無線通信ユニット
１１５    操作受付ユニット
１１６    ディスプレイユニット
１１７    フラッシュメモリ
１１９    バス
１２０、１３０    チェックリストプログラム
１２１    ユーザ設定データ登録プロセス
１２２    チェックリストデータ生成プロセス
１２３    チェックリストデータ修正プロセス
１２４    チェック状態管理プロセス
１２５    報知処理プロセス
１２６    タイマ処理プロセス 
２５０    気象データサーバ
２６０    情報サイト
４００    警備センタ
５００    警備システム
５１０    ガスセンサ
５１１    施錠センサ
５１２    コントローラユニット
５１３    監視カメラ
【図１】
2014092819.tif 000003
【図２】
2014092819.tif 000004
【図３】
2014092819.tif 000005
【図４】
2014092819.tif 000006
【図５】
2014092819.tif 000007
【図６】
2014092819.tif 000008
【図７】
2014092819.tif 000009
【図８】
2014092819.tif 000010
【図９】
2014092819.tif 000011
【図１０】
2014092819.tif 000012
【図１１】
2014092819.tif 000013
【図１２】
2014092819.tif 000014
【図１３】
2014092819.tif 000015
【図１４】
2014092819.tif 000016
【図１５】
2014092819.tif 000017
【図１６】
2014092819.tif 000018
【図１７】
2014092819.tif 000019
【図１８】
2014092819.tif 000020
【図１９】
2014092819.tif 000021
【図２０】
2014092819.tif 000022
【図２１】
2014092819.tif 000023